(57)【要約】【課題】  ヘッドセット型とクレードル型の選択的なハンズフリー通話が可能なハンズフリー装置を提供する。【解決手段】  携帯電話５０と無線通信が可能なヘッドセット１０−１〜１０−４と、該各ヘッドセットを収容可能なクレードル２０とでハンズフリー装置を構成する。このハンズフリー装置では、携帯電話５０とヘッドセット１０とが無線コネクション６０で接続されるため、携帯電話５０をカバンやポケットに入れたままの状態で、ヘッドセット１０を耳に装着した状態でのハンズフリー通話と、クレードル２０に設置した状態でのハンズフリー通話の両シーンが選択できる。【選択図】  図１
2006080885.tif 000002
【特許請求の範囲】
【請求項１】
通話源との無線通信が可能なヘッドセットと、該ヘッドセットに接続可能なクレードルとを備えたハンズフリー装置であって、
前記クレードルは、
前記ヘッドセットを収容可能なヘッドセット収容部を備え、
前記収容されたヘッドセットのマイクを利用して前記通話源との音声信号交換を可能としたことを特徴とするハンズフリー装置。
【請求項２】
通話源との無線通信が可能なヘッドセットと、該ヘッドセットに接続可能なクレードルとを備えたハンズフリー装置であって、
前記クレードルは、
前記ヘッドセットを収容可能なヘッドセット収容部を備え、
前記通話源から受信した音声信号を前記収容されたヘッドセットのスピーカから出力可能としたことを特徴とするハンズフリー装置。
【請求項３】
通話源との通信が可能なヘッドセットと、該ヘッドセットに接続可能なクレードルとを備えたハンズフリー装置であって、
前記ヘッドセットは、
マイクおよびスピーカを備え、
前記クレードルは、
前記ヘッドセットを収容可能なヘッドセット収容部を備え、
前記収容されたヘッドセットのマイクおよびスピーカを利用して前記通話源との音声信号交換を可能としたことを特徴とするハンズフリー装置。
【請求項４】
通話源との無線通信が可能なヘッドセットと、該ヘッドセットに接続可能なクレードルとを備えたハンズフリー装置であって、
前記ヘッドセットは、
伸縮および角度調整が可能なマイクを備え、
前記クレードルは、
前記ヘッドセットを収容可能なヘッドセット収容部を備え、
前記収容されたヘッドセットのマイクおよびスピーカを利用して前記通話源との音声信号交換を可能としたことを特徴とするハンズフリー装置。
【請求項５】
通話源との無線通信が可能なヘッドセットと、該ヘッドセットに接続可能なクレードルとを備えたハンズフリー装置であって、
前記ヘッドセットは、
該ヘッドセット内に設けられたスピーカに適合した扁平形状を有し、
前記クレードルは、
前記ヘッドセットを立てた状態で接続可能なヘッドセット収容部と、
所定の設置場所に固定可能な固定部材と
を備えたことを特徴とするハンズフリー装置。
【請求項６】
前記クレードルは、
振動吸収部をさらに備えたことを特徴とする請求項５記載のハンズフリー装置。
【請求項７】
通話源との無線通信が可能なヘッドセットと、該ヘッドセットに接続可能なクレードルとを備えたハンズフリー装置であって、
前記ヘッドセットは、
該ヘッドセット内に設けられたスピーカに適合した扁平形状を有し、
前記クレードルは、
前記ヘッドセットを立てた状態で接続可能なヘッドセット収容部と、
他のクレードルと接続可能な連結部と
を備えたことを特徴とするハンズフリー装置。
【発明の詳細な説明】
【技術分野】
【０００１】
この発明は、ハンズフリー装置に関し、特に、ヘッドセット型と卓上型のハンズフリー通話を適宜選択可能なハンズフリー装置に関する。
【背景技術】
【０００２】
携帯電話のハンズフリー装置としては、下記の文献に記載されたものが知られている。
【特許文献１】特開２００２−２４７１７３号公報  この特許文献１には、携帯電話をスピーカとマイクロホンを備えた充電器にセットすることで、ハンズフリーを可能とした構成が示されている。
【０００３】
一方、ヘッドセット型のハンズフリー装置としては、下記の文献に記載されたものが知られている。
【特許文献２】特表平１０−５０９５７０号公報  この特許文献２には、ヘッドセットをスタンドに取り付けて、卓上マイクロホンとして使用可能とした構成が示されている。
【発明の開示】
【発明が解決しようとする課題】
【０００４】
しかし、上記特許文献１の構成では、ハンズフリー通話を行うために、携帯電話をカバンやポケットから取り出して充電器にセットする必要があり、また、他人に聞かれたくない内容の場合には、携帯電話で通話する必要があるため、ハンズフリー通話を維持することができなかった。特に、車内で使用する場合には、携帯電話を充電器にセットする構成では不必要に大きくなり、重心も安定しないため、車内での取付場所に制約を受けることになる。
【０００５】
また、上記特許文献２の構成では、通話源との接続が有線になるため煩わしさが残り、上記特許文献１と同様に、携帯電話をカバンやポケットに入れたままの通話はできなかった。
【０００６】
また、最近では、携帯電話とヘッドセットの無線通信を可能とした構成も知られているが、この構成では、ヘッドセットを常に耳に装着する必要があり、室内や車内では煩わしさが残る。この課題を解決するために、特許文献１に示された構成を取る場合には、携帯電話をカバンやポケットから取り出す必要がある。
【０００７】
そこで、本発明は、携帯電話等の通話源をスピーカ付充電器等の特定の機器にセットすることなく、ヘッドセット型と卓上型のハンズフリー通話を適宜選択可能なハンズフリー装置を提供する。
【課題を解決するための手段】
【０００８】
上記目的を達成するため、本発明の第１の手段は、通話源との無線通信が可能なヘッドセットと、該ヘッドセットに接続可能なクレードルとを備えたハンズフリー装置であって、前記クレードルは、前記ヘッドセットを収容可能なヘッドセット収容部を備え、前記収容されたヘッドセットのマイクを利用して前記通話源との音声信号交換を可能としたことを特徴とする。
【０００９】
ここで、通話源としては、携帯電話、固定式電話、公衆電話、ＩＰ電話等の各種電話機器や、ＰＣやＰＤＡ等のコンピュータ機器、ラジオやステレオ等のオーディオ機器等、音声信号を扱う各種機器が含まれる。
【００１０】
これらの通話源とヘッドセットには、双方向または一方向の無線通信による音声信号の交換が可能な無線通信回路が組み込まれ、この回路間で構築される無線通信コネクションを介して音声信号の送受信が行われる。ここで使用する無線通信規格としては、音声信号の交換に適し、かつ、他信号の影響を受けにくいブルートゥースが推奨される。
【００１１】
上記のようにヘッドセットのマイクを利用して通話を行うことで、クレードル内部にマイクを設ける場合よりも、クレードルを簡易に構成することが可能になり、クレードルの小型・軽量化に有用である。
【００１２】
このように、クレードルを小型で構成した場合には、好みの場所に配置することが可能であり、車のメータやフロントガラス付近に設置しても視界のじゃまにならないため、設置場所の自由度が確保できる。
【００１３】
また、上記構成によれば、ヘッドセットをクレードルから取り外しても、クレードルに設置しても、通話源とのハンズフリー通話を行うことができるため、例えば運転中に同乗者に聞かれたくない内容の場合には、ヘッドセットを耳に装着してハンズフリー通話を行い、一人で運転中の場合は、ヘッドセット装着の煩わしさを避けて、クレードルに設置したハンズフリー通話を行うことができる。
【００１４】
また、クレードルに設置した場合であっても、通話源との音声信号の交換は、ヘッドセットを介して行われるため、例えば、携帯電話をカバンやポケットに入れたままで、ヘッドセット型とクレードル型の選択的なハンズフリー通話が可能となる。
【００１５】
また、本発明の第２の手段は、通話源との無線通信が可能なヘッドセットと、該ヘッドセットに接続可能なクレードルとを備えたハンズフリー装置であって、前記クレードルは、前記ヘッドセットを収容可能なヘッドセット収容部を備え、前記通話源から受信した音声信号を前記収容されたヘッドセットのスピーカから出力可能としたことを特徴とする。このように、収容されたヘッドセットのスピーカを利用することで、クレードル側の構成を簡易にすることができる。ここで、ヘッドセットをクレードルから外して利用する場合には、ヘッドセット内のバッテリが消耗するために、大きな音量を出し続けることが困難となるが、充電機能を備えたクレードルに装着した状態であれば、ヘッドセットには常に電源を供給することが可能であるため、ヘッドセットのスピーカから大きな音量を出すことも可能になる。
【００１６】
また、本発明の第３の手段は、通話源との通信が可能なヘッドセットと、該ヘッドセットに接続可能なクレードルとを備えたハンズフリー装置であって、前記ヘッドセットは、マイクおよびスピーカを備え、前記クレードルは、前記ヘッドセットを収容可能なヘッドセット収容部を備え、前記収容されたヘッドセットのマイクおよびスピーカを利用して前記通話源との音声信号交換を可能としたことを特徴とする。
【００１７】
このように、ヘッドセットのマイクとクレードルの双方を利用して通話を行うことで、クレードルをより小型で構成することができるため、好みの場所に配置することが可能であり、車のメータやフロントガラス付近に設置しても視界のじゃまにならないため、設置場所の自由度が確保できる。
【００１８】
また、本発明の第４の手段は、通話源との無線通信が可能なヘッドセットと、該ヘッドセットに接続可能なクレードルとを備えたハンズフリー装置であって、前記ヘッドセットは、伸縮および角度調整が可能なマイクを備え、前記クレードルは、前記ヘッドセットを収容可能なヘッドセット収容部を備え、前記収容されたヘッドセットのマイクおよびスピーカを利用して前記通話源との音声信号交換を可能としたことを特徴とする。
【００１９】
このように、伸縮自在なヘッドセットのマイクを利用することで、クレードルを好みの場所に設置しても口元にマイクを持ってくることができるため、より設置自由度と使用快適度の高いハンズフリー装置を提供することができる。
【００２０】
また、本発明の第５の手段は、通話源との無線通信が可能なヘッドセットと、該ヘッドセットに接続可能なクレードルとを備えたハンズフリー装置であって、前記ヘッドセットは、該ヘッドセット内に設けられたスピーカに適合した扁平形状を有し、前記クレードルは、前記ヘッドセットを立てた状態で接続可能なヘッドセット収容部と、所定の設置場所に固定可能な固定部材とを備えたことを特徴とする。
【００２１】
このようにヘッドセットを立てた状態でクレードルに収容することで、視界のじゃまにならない構造でクレードルに収容することが可能になり、また、クレードル自体はコネクタ的な形状で構成されていたとしても、ヘッドセットの外観形状が支配的になるため、全体として見栄えの良い外観が提供される。
【００２２】
また、クレードルに固定部材を設けることで、好みの場所への配置が可能になる。固定部材としては、クリップ、ピン、吸盤、ハンガー、櫛形はさみ等の採用が可能であり、より望ましくは、クレードル側に振動吸収部を設け、自動車等の移動体から発生した振動がクレードルに伝わることを防止し、クレードル通話の音声品質を向上させる構成としておく。
【００２３】
振動吸収部としては、例えば、ゴム製の吸盤等のクレードルとは弾性が異なる材質であって着脱可能な部材を選択しても良い。このように吸盤を使用すれば、メータパネル等の水平ではない部分にクレードルを取り付けることも可能となり、また、流線形のダッシュボードへ取り付けることも可能である。また、この振動吸収部は、流線形のダッシュボードにもフィッティングさせるために、伸縮自在な構造としても良い。
【００２４】
また、本発明の第６の手段は、通話源との無線通信が可能なヘッドセットと、該ヘッドセットに接続可能なクレードルとを備えたハンズフリー装置であって、前記ヘッドセットは、該ヘッドセット内に設けられたスピーカに適合した扁平形状を有し、前記クレードルは、前記ヘッドセットを立てた状態で接続可能なヘッドセット収容部と、他のクレードルと接続可能な連結部とを備えたことを特徴とする。
【００２５】
このように、複数のクレードルユニットを連結可能とすることで、マルチクレードルを自由に構成することができる。望ましくは、連結したクレードルの全てに電源ラインを通しておき、複数のヘッドセットを充電可能に構成しておく。
【００２６】
このように構成することで、あるヘッドセットをクレードルから外して使用している間に該ヘッドセットのバッテリが切れたとしても、他のヘッドセットが常に充電されているため、ヘッドセットを交換するだけで引き続き通話を継続することが可能である。
【００２７】
この場合は、新たなヘッドセット側をユーザが操作することで、携帯電話との無線リンクをバッテリが切れたヘッドセットから新たなヘッドセットに切り替える構成としても良く、また、バッテリが切れたときに携帯電話側から自動的に別のヘッドセットに対する無線リンクを確立させる構成としても良い。
【００２８】
このような予備充電構成により、ヘッドセット側のバッテリ容量も少なく設計することが可能になるため、ヘッドセットの小型・軽量化を支える手段として有用である。
【発明の効果】
【００２９】
以上説明したように、本発明によれば、携帯電話等の通話源をスピーカ付充電器等の特定の機器にセットすることなく、ヘッドセット型とクレードル型の選択的なハンズフリー通話が可能になる。
【発明を実施するための最良の形態】
【００３０】
以下、本発明の実施形態を添付図面を参照して詳細に説明する。尚、本発明は、以下説明する実施形態に限らず適宜変更可能である。
【００３１】
図１は、本発明の第１の形態に係るハンズフリー装置の構成を示す斜視図である。同図に示すように、本ハンズフリー装置は、携帯電話５０と無線通信可能なワイヤレスヘッドセット１０と、このヘッドセットが収容可能なクレードル２０とで構成される。ここで、携帯電話５０とヘッドセット１０との間は、ワイヤレスコネクション６０による双方向通信が行われ、通信規格としては音声通信に適したブルートゥースが適用される。
【００３２】
このワイヤレスヘッドセット１０およびクレードル２０は、運転中等の携帯電話５０の使用が制約されるシーンで好適に利用される。例えば、同乗者がいる中で通話する場合は、ヘッドセット１０を耳に装着して通話し、一人で運転中の場合は、ヘッドセット１０をクレードル２０に装着した状態でのハンズフリー通話が可能である。
【００３３】
ここで、携帯電話５０とヘッドセット１０との間は無線通信が可能であるため、携帯電話５０をカバンやポケットに入れたままで、ヘッドセット１０を耳に装着した状態での通話と、クレードル２０に設置した状態での通話のいずれのハンズフリー通話も行うことができる。
【００３４】
また、同図に示すように、クレードル２０を複数連結してマルチクレードルを構成することが可能であり、各クレードルには、複数のヘッドセット１０−１〜１０−４を立てた状態で並べて収容することができる。各クレードル２０に収容されたヘッドセットは、充電された状態でユーザの使用を待機することになる。
【００３５】
ここで、本ハンズフリー装置のユーザがヘッドセット１０を用いて通話を行う場合には、連結構成されたマルチクレードル２０から好みのヘッドセット１０−１を取り外し、このヘッドセット１０−１内に設けられたマイクおよびスピーカを利用して、送話音５００および受話音５０２の入出力を行い、この通話信号をワイヤレスコネクション６０を介して携帯電話５０と交換する。
【００３６】
図２は、図１に示したヘッドセットの構成を示す斜視図である。同図に示すように、ヘッドセット１０は、各種回路を収容したヘッドセット本体１２と、スピーカを収容したイヤーパッド１６と、ヘッドセット用マイク１８と、耳に取り付ける際に使用されるイヤークリップ１９とで構成される。このヘッドセット１０は、耳にフィットする形状であって、かつ、ヘッドセット内に設けられたスピーカに適合した扁平形状であることが望ましい。
【００３７】
図３は、図１に示したクレードルの構成を示す斜視図である。同図に示すように、クレードル２０は、各種回路を収容したクレードル本体２２と、ヘッドセット１０−１〜１０−４を収容するためのヘッドセット収容部２３−１〜２３−４と、収容したヘッドセットの着脱を行う着脱スイッチ２４−１〜２４−４と、クレードル用マイクロホン２６と、クレードル用スピーカ２８と、車載用シガライタ等の電源と接続可能な電源コード３０とで構成される。
【００３８】
このクレードル２０は、自動車等の振動体に取付けた際にも安定するよう低重心の扁平形状とすることが望ましく、また、振動体に固定する場合には３点支持とすることが望ましい。より望ましくは、扁平形状のヘッドセット１０−１〜１０−４を立てて並べて配置した場合であっても全体の重心が低くなる構成としておく。
【００３９】
図４は、図１に示したハンズフリー装置におけるクレードルを利用した通話形態を示す斜視図である。同図に示すように、本ハンズフリー装置のユーザがクレードル２０を用いて通話を行う場合には、クレードル２０に設けられたクレードル用マイクロホン２６と、クレードル用スピーカ２８とを介して、送話音５００および受話音５０２の入出力を行い、該クレードル２０に収容されたいずれかのヘッドセットに設けられた無線機能を利用して携帯電話５０との通話を行うことも可能である。
【００４０】
ここで、クレードル２０は、電源コード３０を介して、外部の電源と接続されるため、スピーカ２８から十分な音量を出力することができるとともに、各ヘッドセット１０−１〜１０ー４を同時に充電することも可能である。尚、クレードル２０に設けられたスピーカ２８は、該クレードル２０の両サイドに配置することが望ましい。また、電源コード３０に替えて太陽電池等の電源を使用しても良い。
【００４１】
図５は、ヘッドセットおよびクレードルの内部回路構成を示すブロック図である。同図に示すように、ヘッドセット１０は、携帯電話との無線通信機能を提供するブルートゥース回路１００と、ブルートゥース回路の出力先を切り替えるスイッチＳＷと、ヘッドセットの電力源を提供するバッテリ１０２と、ブルートゥース回路１００から出力された信号に対してノイズキャンセラやイコライザ処理を行う音声処理回路１０４と、音声処理回路に処理された信号を増幅するオーディオアンプ１０６と、ユーザからの音声入力インターフェースとなるマイクロホン１０８と、ユーザに対する音声出力インターフェースとなるスピーカ１１０とで構成される。
【００４２】
クレードル２０は、ＡＣ電源から取得したＡＣ電力をＤＣ電力に変換して、自己の電力源を生成するとともに、ヘッドセットに充電機能を提供するＡＣ／ＤＣコンバータ２００と、ヘッドセット側に設けられたものと同様に機能を提供する音声処理回路２０４と、オーディオアンプ２０６と、マイクロホン２０８と、スピーカ２１０とで構成される。
【００４３】
上記のように構成されるヘッドセット１０がクレードル２０に接続されると、ヘッドセット１０側に設けられたスイッチＳＷがクレードル２０側に切り替えられ、ブルートゥース回路１００からの出力がクレードル側の音声処理回路２０４に入力される。同時に、ヘッドセット側に設けられたバッテリ１０２とクレードル側に設けられたＡＣ／ＤＣコンバータ２００とが接続されてバッテリ１０２の充電が開始される。
【００４４】
一方、ヘッドセット１０がクレードル２０から取り外されると、ヘッドセット１０側に設けられたスイッチＳＷがヘッドセット側に切り替えられ、ブルートゥース回路１００からの出力がヘッドセット側の音声処理回路１０４に入力され、バッテリ駆動によるヘッドセットの単体動作となる。
【００４５】
尚、同図においては、一つのヘッドセットと一つのクレードルとの接続を前提として説明したが、複数のクレードルを連結させる場合も同様の回路ブロックを拡張して構成することができる。
【００４６】
図６は、ヘッドセットおよびクレードルの他の回路構成例を示すブロック図である。同図に示すように、音声処理回路１０４とオーディオアンプ１０６とをヘッドセットとクレードルとで共用する構成とし、マイクロホンとスピーカへの出力ラインに切替スイッチＳＷをそれぞれ設けることで、図５と同様の機能を実現させても良い。この場合は、クレードル側に音声処理回路とオーディオアンプが不要になるため、クレードルの簡易化が実現できる。
【００４７】
また、最近のブルートゥースＩＣには、音声処理回路を備えたものも考案されており、このようなＩＣを使用することで、ブルートゥース回路１００と音声処理回路１０４とを一体化した構成を取っても良い。
【００４８】
尚、同図においては、一つのヘッドセットと一つのクレードルとの接続を前提として説明したが、複数のヘッドセットを接続する場合も同様の回路ブロックを拡張して構成することができる。
【００４９】
図７は、本発明に係るハンズフリー装置の第２の実施形態を示す斜視図である。同図に示すように、クレードル２０にはマイクを設けず、ヘッドセット側のマイク１８を利用して送話音５００の取り込みを行う構成としても良い。この場合、クレードルに収容されたいずれか一つのヘッドセットのマイクを使用しても、複数のヘッドセットのマイクを使用しても良い。
【００５０】
図８は、本発明に係るハンズフリー装置の第３の実施形態を示す斜視図である。同図に示すように、クレードル２０にはマイクもスピーカも設けず、ヘッドセット側のマイク１８およびスピーカを利用して送話音５００および受話音５０２の入出力を行う構成としても良い。この場合、クレードルの両外側に収容されたヘッドセットのスピーカを利用して音声の出力を行うことが望ましい。
【００５１】
図９は、本発明に係るハンズフリー装置の第４の実施形態を示す斜視図である。同図に示すように、クレードル２０を一ユニットで使用することも可能であり、この場合には、全体として非常に小さく構成できるため、好みの箇所に取り付けることができる。
【００５２】
例えば、同図に示すように、クレードル２０の底面に吸盤７１を設けておき、車のダッシュボードやウインドウに吸着させて使用しても良い。ここで、ヘッドセット１０に設けられたマイク１８に角度調整部を設けておき、マイクの方向を伸縮自在に構成しておく。この角度調整部は蛇腹構造で構成することが望ましい。
【００５３】
さらに、クレードル２０には、弾性部材等で構成された振動緩衝部を設けておき、ヘッドセット１０への振動伝達を回避できる構成としておくことが望ましい。また、ハンズフリー通話は、このクレードル２０に装着されたヘッドセット１０のスピーカとマイクを用いて行われるため、クレードルには電源ライン３０を設けておく。
【００５４】
図１０は、図９に示したハンズフリー装置の使用例を示す斜視図である。同図に示すように、ヘッドセット１０のマイク１８には、角度調整部２２が設けられているため、クレードル２０を好みの場所に固定した場合であっても、該マイク１８を好みの方向に調整した状態で通話することができる。
【００５５】
図１１は、本発明に係るハンズフリー装置の第５の実施形態を示す斜視図である。同図に示すように、クレードル２０を固定する部材としては、クリップ７２を用いても良く、このクリップの形状としては、ヘッドレストのバーの挟持に適合した形状や、サンバイザーの挟持に適合した形状等、様々な形状が採用可能である。
【００５６】
図１２は、本発明に係るハンズフリー装置の第６の実施形態を示す斜視図である。同図に示すように、クレードル２０を固定する部材としては、ピン７３を用いても良く、このようにピン形状の固定部材を用いることで、車のシート等への固定も可能になる。
【００５７】
図１３は、本発明に係るハンズフリー装置の第７の実施形態を示す斜視図である。同図に示すように、クレードル２０は、２つの剛性部材を振動緩衝部７０を介在して嵌合させた構造としても良い。
【００５８】
図１４は、本発明に係るハンズフリー装置の第８の実施形態を示す斜視図である。同図（ａ）に示すように、本ハンズフリー装置では、クレードル２０と吸盤７１との間に回転自在な回動部７５を設け、同図（ｂ）に示すように、吸盤７１の角度を調整することにより、傾斜面や垂直面へ固定することが可能な構成としても良い。例えば、吸盤７１を車の側面ガラスに吸着させてクレードル２０を固定し、ヘッドセットのマイク１８の角度を運転者側に向けることでもハンズフリー通話が可能である。尚、同図に示す例では、回動部７５として球体を係合させる構造としたが、蛇腹構造等の他の代替構造を用いても良い。
【００５９】
図１５は、本発明に係るハンズフリー装置の第９の実施形態を示す斜視図である。同図に示すように、本ハンズフリー装置では、複数のクレードル２０−１〜２０−５を連結させたときに、扇形になるように各クレードルの形状を構成しても良い。
【００６０】
図１６は、本発明に係るハンズフリー装置の第１０の実施形態を示す斜視図である。同図に示すように、本ハンズフリー装置では、複数のクレードル２０−１〜２０−５を連結させたときに、逆扇形になるように各クレードルの形状を構成しても良い。
【産業上の利用可能性】
【００６１】
本発明によれば、ヘッドセット型とクレードル型の選択的なハンズフリー通話が可能になるため、一人の場合と同乗者がいる場合との両シーンが想定される車載用ハンズフリーへの適用が期待される。
【図面の簡単な説明】
【００６２】
【図１】本発明の第１の形態に係るハンズフリー装置の構成を示す斜視図である。
【図２】図１に示したヘッドセットの構成を示す斜視図である。
【図３】図１に示したクレードルの構成を示す斜視図である。
【図４】図１に示したハンズフリー装置におけるクレードルを利用した通話形態を示す斜視図である。
【図５】ヘッドセットおよびクレードルの内部回路構成を示すブロック図である。
【図６】ヘッドセットおよびクレードルの他の回路構成例を示すブロック図である。
【図７】本発明に係るハンズフリー装置の第２の実施形態を示す斜視図である。
【図８】本発明に係るハンズフリー装置の第３の実施形態を示す斜視図である。
【図９】本発明に係るハンズフリー装置の第４の実施形態を示す斜視図である。
【図１０】図９に示したハンズフリー装置の使用例を示す斜視図である。
【図１１】本発明に係るハンズフリー装置の第５の実施形態を示す斜視図である。
【図１２】本発明に係るハンズフリー装置の第６の実施形態を示す斜視図である。
【図１３】本発明に係るハンズフリー装置の第７の実施形態を示す斜視図である。
【図１４】本発明に係るハンズフリー装置の第８の実施形態を示す斜視図である。
【図１５】本発明に係るハンズフリー装置の第９の実施形態を示す斜視図である。
【図１６】本発明に係るハンズフリー装置の第１０の実施形態を示す斜視図である。
【符号の説明】
【００６３】
１０…ワイヤレスヘッドセット、１２…ヘッドセット本体、１４…アンテナ、１６…イヤーパッド、１８…ヘッドセット用マイク、１９…イヤークリップ、２０…マルチクレードル、２２…クレードル本体、２３…ヘッドセット収容部、２４…着脱スイッチ、２６…クレードル用マイクロホン、２８…クレードル用スピーカ、３０…電源コード、５０…携帯電話、６０…ワイヤレスコネクション、７０…振動緩衝部、７１…吸盤、７２…クリップ、７３…ピン、７５…回動部、１００…ブルートゥース回路、１０２…バッテリ、１０４…音声処理回路、１０６…オーディオアンプ、１０８…マイクロホン、１１０…スピーカ、２００…ＡＣ／ＤＣコンバータ、２０４…音声処理回路、２０６…オーディオアンプ、２０８…マイクロホン、２１０…スピーカ、５００…送話音、５０２…受話音
【図１】
2006080885.tif 000003
【図２】
2006080885.tif 000004
【図３】
2006080885.tif 000005
【図４】
2006080885.tif 000006
【図５】
2006080885.tif 000007
【図６】
2006080885.tif 000008
【図７】
2006080885.tif 000009
【図８】
2006080885.tif 000010
【図９】
2006080885.tif 000011
【図１０】
2006080885.tif 000012
【図１１】
2006080885.tif 000013
【図１２】
2006080885.tif 000014
【図１３】
2006080885.tif 000015
【図１４】
2006080885.tif 000016
【図１５】
2006080885.tif 000017
【図１６】
2006080885.tif 000018